(57)【要約】【課題】冷蔵庫から冷蔵陳列棚へ商品を運搬する際の冷却効率を向上させる。【解決手段】冷蔵庫１の売り場２側への開口に設置される冷蔵陳列棚１０なので、冷蔵庫１内の冷却装置により冷蔵陳列棚１０の商品６、７を冷却し、設備コストを削減することができる。また商品６、７を冷蔵庫１内から冷蔵陳列棚１０へ補充されるよう背面が開放されているので、冷蔵庫１から冷蔵陳列棚１０へ運搬する間に商品６、７が常温にさらさず、冷却効率が向上する。また冷蔵陳列棚１０の下部内４に冷蔵庫１内から商品５を運搬する台車２０を設けたので、台車２０を冷蔵陳列棚１０の下部４から外へ引き出して商品５を冷蔵陳列棚１０に補充することができる。また開閉扉１５が売り場２と冷蔵陳列棚１０の下部内４とを仕切るので、商品５を積んだ台車２０を売り場２から見えないように隠すとともに、冷気が売り場２側へ逃げることを防ぐことができる。【選択図】　　　図１
0003096919.tif 000002
【実用新案登録請求の範囲】
【請求項１】
冷蔵庫の売り場側への開口に設置される冷蔵陳列棚であって、
冷蔵庫内から商品が補充されるよう背面が開放されており、
下部内に冷蔵庫内から商品を運搬する台車を設けたことを特徴とする冷蔵陳列棚。
【請求項２】
棚の下部前面に、前記台車を売り場側へ引き出す際に開放する開閉扉を設けたことを特徴とする請求項１に記載の冷蔵陳列棚。
【考案の詳細な説明】
【０００１】
【考案の属する技術分野】
本考案は、店舗等の売り場の冷蔵陳列棚及び売り場に隣接した冷蔵庫に関する。
【０００２】
【従来の技術】
店舗の冷蔵庫から売り場の冷蔵陳列棚へ商品を補充するために、従来は冷蔵庫で台車に商品を積み、台車を転がして品物を冷蔵陳列棚の前まで運搬し、台車から商品を冷蔵陳列棚へ補充していた。
【０００３】
【考案が解決しようとする課題】
しかし、冷蔵庫から冷蔵陳列棚までの間に通路を通らなければならないため、台車が通路を塞いでしまい、商品の購入や通路の交通の妨げとなっていた。また冷蔵庫から冷蔵陳列棚へ運搬する間に商品が常温にさらされ、冷却効率が悪いという問題があった。
【０００４】
本考案の課題は、冷蔵庫から冷蔵陳列棚へ商品を運搬する際の冷却効率を向上させることである。
【０００５】
【課題を解決するための手段】
以上の課題を解決するため、本考案の請求項１に記載の考案は、図１に示すように、冷蔵庫１の売り場２側への開口に設置される冷蔵陳列棚１０であって、冷蔵庫１内から商品６、７が補充されるよう背面が開放されており、下部内（収納空間４）に冷蔵庫１内から商品５を運搬する台車２０を設けたことを特徴とする。
【０００６】
請求項１に記載の考案によれば、冷蔵庫１の売り場２側への開口に設置される冷蔵陳列棚１０なので、冷蔵庫１内の冷却装置により冷蔵陳列棚１０の商品６、７を冷却し、設備コストを削減することができる。また商品６、７を冷蔵庫１内から冷蔵陳列棚１０へ補充されるよう背面が開放されているので、冷蔵庫１から冷蔵陳列棚１０へ運搬する間に商品６、７が常温にさらさず、冷却効率が向上する。また冷蔵陳列棚１０の下部内４に冷蔵庫１内から商品５を運搬する台車２０を設けたので、台車２０を冷蔵陳列棚１０の下部４から外へ引き出して商品５を冷蔵陳列棚１０に補充することができる。
【０００７】
請求項２に記載の考案は、請求項１に記載の冷蔵陳列棚１０において、棚の下部前面に、前記台車２０を売り場２側へ引き出す際に開放する開閉扉（折りたたみ扉１５）を設けたことを特徴とする。
【０００８】
請求項２に記載の考案によれば、開閉扉１５が売り場２と冷蔵陳列棚１０の下部内４とを仕切るので、商品５を積んだ台車２０を売り場２から見えないように隠すとともに、冷気が売り場２側へ逃げることを防ぐことができる。
【０００９】
【考案の実施の形態】
以下に、本考案の実施の形態例について詳細に述べる。図１（ａ）において、店舗の売り場２と面した一区画に冷蔵庫１が設けられている。冷蔵庫１内には商品５が搬入され、冷蔵保存されている。
冷蔵庫１には売り場２側が開口しており、その開口部分に冷蔵陳列棚１０が設置されている。冷蔵陳列棚１０の上方には冷蔵庫１内から冷気Ｃを誘導する覆い３が設けられており、冷蔵陳列棚１０上の商品６、７に冷蔵庫１内の冷気Ｃを上から送って冷却している。
【００１０】
冷蔵陳列棚１０は図２に示すように、柱１１と梁１２とから構成される骨格に複数の棚板１３を設けて構成されている。冷蔵陳列棚１０には背板がなく、棚板１３上の空間は冷蔵庫１内と連通している。
冷蔵陳列棚１０の冷蔵庫１内側の柱１１の最上部には、最上段の棚板１３上の商品６を売り場から見せるための鏡１４が設けられている。最下段の棚板１３は、床から距離をおいて設けられており、床と最下段の棚板１３との間の空間は商品５を積んだ荷台２０を収納する収納空間４となっている。
【００１１】
また冷蔵陳列棚１０の売り場２側の柱１１には折りたたみ扉１５が設けられており、閉じた状態では売り場２と収納空間４とを仕切っている。折りたたみ扉１５にはキャスター１６が取り付けられており、図２（ｃ）に示すように左右端に折りたたんで開けることができる。
【００１２】
次に冷蔵陳列棚１０への補充方法について説明する。冷蔵陳列棚１０には背板がないので、小さな商品６、７は冷蔵庫１内から棚板１３上へ直接補充することができる。また最上段の棚板１３上には、冷蔵陳列棚１０の上から補充してもよい。
【００１３】
棚板１３の間隔よりも大きな商品５を補充する場合や、多くの商品６、７を補充したい時には、先ず図１（ａ）に示すように、補充する商品５を台車２０に積み、収納空間４に収納する。次に売り場２側で扉１５を開き、図１（ｂ）に示すように、収納空間４に収納された台車２０を引き出し、台車２０に積まれた商品５を冷蔵陳列棚１０に補充する。
【００１４】
本実施の形態によれば、冷蔵庫１から冷蔵陳列棚１０へ最短距離で商品を移動することができるので、商品を常温にさらす時間を極力少なくすることができ、商品の品質を保つとともに冷却効率を向上させることができる。
【００１５】
【考案の効果】
請求項１に記載の考案によれば、冷蔵庫の売り場側への開口に設置される冷蔵陳列棚なので、冷蔵庫内の冷却装置により冷蔵陳列棚の商品を冷却し、設備コストを削減することができる。また商品を冷蔵庫内から冷蔵陳列棚へ補充されるよう背面が開放されているので、冷蔵庫から冷蔵陳列棚へ運搬する間に商品が常温にさらさず、冷却効率が向上する。また冷蔵陳列棚の下部内に冷蔵庫内から商品を運搬する台車を設けたので、台車を冷蔵陳列棚の下部から外へ引き出して商品を冷蔵陳列棚に補充することができる。
【００１６】
請求項２に記載の考案によれば、開閉扉が売り場と冷蔵陳列棚の下部内とを仕切るので、商品を積んだ台車を売り場から見えないように隠すとともに、冷気が売り場側へ逃げることを防ぐことができる。
【図面の簡単な説明】
【図１】（ａ）は本考案の実施の形態例の冷蔵庫を示す断面図であり、（ｂ）は冷蔵陳列棚部分を示す断面図である。
【図２】本実施の形態例の冷蔵陳列棚を示す図であり、（ａ）は正面図、（ｂ）は側面図、（ｃ）は平面図である。
【符号の説明】
１　　　　冷蔵庫
２　　　　売り場
３　　　　覆い
４　　　　収納空間
５、６、７　　　商品
１０　　冷蔵陳列棚
１１　　柱
１２　　梁
１３　　棚板
１４　　鏡
１５　　扉
１６　　キャスター
２０　　荷台
Ｃ　　　　冷気
【図１】
0003096919.tif 000003
【図２】
0003096919.tif 000004